(57)【要約】【課題】  暗室での作業を必要とせず、取り扱い易い感光性熱現像記録材料、その収容体及び感光性熱現像記録材料の現像方法並びに製造方法を提供する。【解決手段】  収容体は、支持体の少なくとも一方の面上に、感光性ハロゲン化銀、非感光性有機銀塩、還元剤、及びバインダを含有する画像形成層を設けた感光性熱現像記録材を収容する収容部を有し、少なくとも表面が遮光性材料からなる収容体本体を備え、収容部に増感部材が備えられている。【選択図】  図２
2005284263.tif 000002
【特許請求の範囲】
【請求項１】
支持体の少なくとも一方の面上に、感光性ハロゲン化銀、非感光性有機銀塩、還元剤、及びバインダを含有する画像形成層を設けた感光性熱現像記録材料を収納する感光性熱現像記録材料の収容体であって、
前記感光性熱現像記録材を収容する収容部を有し、少なくとも表面が遮光性材料からなる収容体本体を備え、
前記収容部に増感部材が備えられていることを特徴とする感光性熱現像記録材料の収容体。
【請求項２】
前記増感部材が収容部の前記感光性熱現像記録材料の前記画像形成層に対向する内側面に貼り付けられていることを特徴とする請求項１に記載の感光性熱現像記録材料の収容体。
【請求項３】
前記収容部が仕切り部によって一対のポケット部が区画され、前記一対のポケット部のうち一方に、前記感光性熱現像記録材料が保持され、他方に、前記増感部材が保持され、前記仕切り部には潜像を形成する部分に相当する箇所に窓部が開孔するように形成されていることを特徴とする請求項１に記載の感光性熱現像記録材料の収容体。
【請求項４】
前記遮光性材料が５００ｎｍ以下の波長の有色光を遮断することを特徴とする請求項１に記載の感光性熱現像記録材料の収容体。
【請求項５】
上記請求項１から４のうちいずれか１つに記載の感光性熱現像記録材料の収容体を保持するとともに前記感光性熱現像記録材にＸ線を照射して潜像を形成するＸ線撮影装置に装填可能なカセッテ。
【請求項６】
支持体の少なくとも一方の面上に、感光性ハロゲン化銀、非感光性有機銀塩、還元剤、及びバインダを含有する画像形成層を設けた感光性熱現像記録材料の現像方法であって、
前記感光性熱現像記録材料を、少なくとも表面が遮光性材料からなる収容体に収容し、前記収容体に増感部材を備えた状態で、Ｘ線を照射した後、前記収容体に前記感光性熱現像記録材料を収容した状態のまま熱現像することで、潜像を顕像化することを特徴とする感光性熱現像記録材料の現像方法。
【請求項７】
支持体と、
該支持体の少なくとも一方の面上に、感光性ハロゲン化銀、非感光性有機銀塩、還元剤、及びバインダを含有する画像形成層とを有し、
前記画像形成層の表面に増感層が形成され、
前記増感層の表面が遮光層に覆われていることを特徴とする感光性熱現像記録材料。
【請求項８】
支持体の少なくとも一方の面上に、感光性ハロゲン化銀、非感光性有機銀塩、還元剤、及びバインダを含有する画像形成層を設けた感光性熱現像材料の製造方法であって、
供給された前記支持体に前記画像形成層を形成し、前記画像形成層の表面に増感層をラミネートし、前記増感層の表面に遮光層をラミネートし、その後、前記支持体を裁断することを特徴とする感光性熱現像記録材料の製造方法。
【発明の詳細な説明】
【技術分野】
【０００１】
本発明は、Ｘ線照射によって潜像が形成される感光性熱現像記録材料、その収容体及び感光性熱現像記録材料の現像方法並びに製造方法に関する。
【背景技術】
【０００２】
近年、湿式処理を行うことがないドライシステムによる熱現像装置や熱現像記録装置が提案されている。このような熱現像装置や熱現像記録装置では、記録媒体として、感光性および／または感熱性記録材料（感光感熱記録材料）や、熱現像感光材料を含むフィルム状の記録材料（以下、感光性熱現像記録材料という）が用いられている。
このようなドライシステムとして、病院などの医療施設で使用されるＸ線撮影装置がある。Ｘ線撮影装置は、感光性熱現像記録材料をカセッテに保持させ、Ｘ線管からＸ線を照射し、被写体にＸ線を透過させて上記感光性熱現像記録材料に潜像を形成する構成である（例えば、特許文献１及び２参照）。
【０００３】
【特許文献１】特開平４−２５６９４６号公報
【特許文献２】特開昭６０−１５３０００号公報
【発明の開示】
【発明が解決しようとする課題】
【０００４】
感光性熱現像記録材料は明室で扱うと感光してしまうため、Ｘ線撮影を行う前に暗室において感光性熱現像記録材料をカセッテにセットする作業が行われる必要がる。しかし、暗室での作業はできる限り避けたいという要望があり、特に、小さい規模の病院などＸ線撮影を頻繁に行わない施設においては場所の有効利用の点からも暗室設備をできるだけ備えたくないという要求がある。
本発明は、このような事情に鑑みてなされたもので、その目的は、暗室での作業を必要とせず、取り扱い易い感光性熱現像記録材料、その収容体及び感光性熱現像記録材料の現像方法並びに製造方法を提供することにある。
【課題を解決するための手段】
【０００５】
本発明の上記目的は、支持体の少なくとも一方の面上に、感光性ハロゲン化銀、非感光性有機銀塩、還元剤、及びバインダを含有する画像形成層を設けた感光性熱現像記録材料を収納する感光性熱現像記録材料の収容体であって、感光性熱現像記録材を収容する収容部を有し、少なくとも表面が遮光性材料からなる収容体本体を備え、収容部内面に増感部材が備えられていることを特徴とする感光性熱現像記録材料の収容体によって達成される。
【０００６】
この感光性熱現像記録材料の収容体では、遮光性材料からなる収容体本体を備えており、この収容体に感光性熱現像記録材料を収容しておくことで、感光性熱現像記録材料が明室において感光してしまうことを防止することができるうえ、感光性熱現像記録材料に直接手が触れることがないため、指紋等の汚れが付着することを避けることができる。また、収容体には増感部材が装着されているため、感光性熱現像記録材料を収容体に収容したままでＸ線撮影を行うことができ、Ｘ線撮影装置において撮影を行う際に、感光性熱現像記録材料を保持するカセッテが必要なくなる。
【０００７】
上記感光性熱現像記録材料の収容体は、増感部材が収容部の感光性熱現像記録材料の画像形成層に対向する内側面に貼り付けられていることが好ましい。
【０００８】
こうすれば、記録材料を収容体に挿入する際や収容体から取り出す際に収容部の内部で増感部材が移動して捩れやしわが生じてしまうことを防止することができる。
【０００９】
上記感光性熱現像記録材料の収容体は、収容部が仕切り部によって一対のポケット部が区画され、一対のポケット部のうち一方に、感光性熱現像記録材料が保持され、他方に、増感部材が保持され、仕切り部には潜像を形成する部分に相当する箇所に窓部が開孔するように形成されていることが好ましい。
【００１０】
この感光性熱現像記録材料の収容体では、一対のポケット部のうち一方に保持された感光性熱現像記録材料をＸ線撮影ごとに取り替えて、他方のポケット部に保持された比較的高価な増感部材を使い回すことで、収容体を繰り返し使用すること（リサイクル）ができる。
【００１１】
上記遮光性材料が５００ｎｍ以下の波長の有色光を遮断することが好ましい。
【００１２】
こうすれば、５００ｎｍ以下の波長を有する有色光を遮断するとともに、感光フィルタ機能を有する材料として透明又は半透明な材料を使用することで、収容体に収容した記録材料の状態を収容体外部から視認することができる。このため、収容体を直接熱現像装置に装填して熱現像を行う際に、収容体から記録材料を取り出すことなく現像の状態を確認することができるため使い勝手が良い。
【００１３】
さらに、本発明の上記目的は、上記感光性熱現像記録材料の収容体を保持するとともに前記感光性熱現像記録材にＸ線を照射して潜像を形成するＸ線撮影装置に装填可能なカセッテによって達成される。
【００１４】
このカセッテは、上記収容体の内部に収容された記録材料と増感部材との密着度合を強くすることができる。また、従来のようにカセッテ内部に増感部材を取り付ける必要がなく、カセッテの清掃等のメンテナンスが容易になる。
【００１５】
さらに、本発明の上記目的は、支持体の少なくとも一方の面上に、感光性ハロゲン化銀、非感光性有機銀塩、還元剤、及びバインダを含有する画像形成層を設けた感光性熱現像記録材料の現像方法であって、感光性熱現像記録材料を、少なくとも表面が遮光性材料からなる収容体に収容し、収容体に増感部材を備えた状態で、Ｘ線を照射した後、収容体に感光性熱現像記録材料を収容した状態のまま熱現像することで、潜像を顕像化することを特徴とする感光性熱現像記録材料の現像方法によって達成される。
【００１６】
この現像方法では、収容体が遮光性材料からなるため、この収容体に収容された感光性熱現像記録材料を明室で取り扱うことができ、また、収容体に増感部材が備えられているため、従来のような増感部材として機能するスクリーンを備えたカセッテが必要ない。収容体に感光性熱現像記録材料を収容した状態のまま熱現像することで、カセッテに感光性熱現像記録材料を装填するといった作業を省くことができるため、特に、Ｘ線撮影の回数が少ない環境（例えば、開業医など小規模の医療現場）では使い勝手が良い。
【００１７】
さらに、本発明の上記目的は、支持体と、該支持体の少なくとも一方の面上に、感光性ハロゲン化銀、非感光性有機銀塩、還元剤、及びバインダを含有する画像形成層とを有し、画像形成層の表面に増感層が形成され、増感層の表面が遮光層に覆われていることを特徴とする感光性熱現像記録材料によって達成される。
【００１８】
この感光性熱現像記録材料は、遮光層で覆われているため、遮光材料からなる収容体や従来のカセッテに収容しない状態でも明室で取り扱うことができるため、暗室での作業を必要としない点で使い勝手がよい。また、Ｘ線撮影時には、この感光性熱現像記録材料にＸ線照射を行なうことができ、熱現像時には、この記録材料をそのまま熱現像装置に装填することで、熱現像処理を施すことができ、熱現像後に、遮光層及び増感層とを剥離することで、現像した記録材料を得ることができる。
【００１９】
さらに、本発明の上記目的は、支持体の少なくとも一方の面上に、感光性ハロゲン化銀、非感光性有機銀塩、還元剤、及びバインダを含有する画像形成層を設けた感光性熱現像材料の製造方法であって、供給された支持体に画像形成層を形成し、画像形成層の表面に増感層をラミネートし、増感層の表面に遮光層をラミネートし、その後、支持体を裁断することを特徴とする感光性熱現像記録材料の製造方法によって達成される。
【００２０】
この製造方法では、１つの製造工程の中で、支持体に画像形成層を形成する工程と画像形成層の表面に増感層をラミネートする工程と、増感層の表面に遮光層をラミネートする工程と、支持体を裁断する工程を有しているため、明室で取り扱うことができる感光性熱現像記録材料を効率良く製造することができる。
【発明の効果】
【００２１】
本発明によれば、暗室での作業を必要とせず、取り扱い易い感光性熱現像記録材料、その収容体及び感光性熱現像記録材料の現像方法並びに製造方法を提供できる。
【発明を実施するための最良の形態】
【００２２】
以下、本発明に係る感光性熱現像記録材料、その収容体及び感光性熱現像記録材料の現像方法並びに製造方法の好適な実施の形態を図面を参照して説明する。
図１は、本発明に係る感光性熱現像記録材料の収容体の第１の実施形態を説明する図である。収容体１は、Ｘ線照射によって潜像が形成される感光性熱現像記録材料（以下、記録材料ともいう。）Ｆを収容するものである。
【００２３】
記録材料Ｆは、支持体の少なくとも一方の面上に、感光性ハロゲン化銀、非感光性有機銀塩、還元剤、及びバインダを含有する画像形成層を設けたものであり、Ｘ線照射によって画像形成層に予め潜像が形成され、記録材料Ｆに熱現像を施すことで画像形成層の潜像が顕像化するものである。以下、画像形成層を感光層ともいう。
【００２４】
収容体１は、収容体本体１ａと、該収容体本体１ａの内部に設けられた、記録材料を収容するための収容部２とを有している。収容体本体１ａは、底を有する長尺の袋状部材であり、一方の端部に形成された開口３から記録材料Ｆを挿入可能な構成である。収容体１は、収容体本体１ａにおいて少なくとも表面が遮光性材料からなる部材である。遮光性材料としては、例えば、アルミ箔などの金属や黒色からなる樹脂あるいはそれらの複合部材を用いることができる。
【００２５】
収容体１の収容部２には、記録材料Ｆと、収容部２の内部で該記録材料Ｆの両面側にそれぞれ配置される増感部材５とが挿入される。収容部２に記録材料Ｆと増感部材５とを収容した後に、収容体本体１ａに、開口３が形成された側の端辺を所定の幅で繰り返し折り返してなる折返部４を形成することで、開口３が遮蔽され、収容部２内部の遮光性が確保される。収容体１から記録材料Ｆを取り出す際は、折返部４を折り開いて開放された開口３から記録材料Ｆを取り出すことができる。なお、本実施形態の収容体１では、折返部４に限定されず、例えば、開口３が形成された側の端辺をチャックによって開閉可能にするチャック部を設けてもよい。  
【００２６】
収容体１は、本実施形態のように収容部２に増感部材５を収容した構成に限られない。図２は、本実施形態の収容体の他の実施形態を示す断面図である。図２に示すように、収容体１は、収容部２の内側面に貼り付けた構成としてもよい。こうすれば、記録材料Ｆの挿入する際や取り出す際に収容部２の内部で増感部材５が移動して捩れやしわが生じることを防止することができる。
【００２７】
この収容体１は、遮光性材料からなる収容体本体１ａを備えており、この収容体１に記録材料Ｆを収容しておくことで、記録材料Ｆが明室において感光してしまうことを防止することができるうえ、記録材料Ｆに直接手が触れることがないため指紋等の汚れが付着することを避けることができる。また、収容体１には増感部材５が装着されているため、記録材料Ｆを収容体１に収容したままでＸ線撮影を行うことができ、Ｘ線撮影装置において撮影を行う際に、記録材料を保持するカセッテ側に増感部材と同じ機能を奏するスクリーンを設ける必要がない。
【００２８】
図３は、本発明に係るカセッテを示す全体斜視図である。図３に示すように、カセッテ１１は、記録材料Ｆを収容保持して、Ｘ線撮影装置に装填し、保持した記録材料にＸ線照射するためのものである。
【００２９】
図３に示すように、カセッテ１１は、記録材料Ｆと面接触する四角形状の底面１２ａとこの底面１２ａの周縁部を囲うようにして立設されたリブ１４とを有するカセッテ本体１２を備えている。また、カセッテ１１は、この本体１２のリブによって囲まれた部位に記録材料Ｆを配置可能で、この部位を開放／遮蔽する蓋部１３を備えている。カセッテ１１に記録材料Ｆをセットする場合は、蓋部１３を開き、カセッテ本体１２に記録材料Ｆを配置して蓋部１３を閉じる。
【００３０】
カセッテ本体１２に収容体１を収容させて蓋部１３を閉じることで、収容体１の内部に収容された記録材料と増感部材との密着度合を強くすることができる。
【００３１】
記録材料Ｆには増感部材５が備えられているため、カセッテ１１の底面１２ａや蓋部１３の内側面（蓋部１３を閉じた場合における底面１２ａ側の面）には、従来のようにスクリーンなどを設ける必要がない。このため、カセッテの清掃等のメンテナンスが容易になる。
【００３２】
次に、本発明に係る感光性熱現像記録材料を図面を参照して説明する。
図４は、本発明に係る感光性熱現像記録材料の断面図である。図４に示すように記録材料４０は、支持体４１と、該支持体４１の両側の面に設けられた感光層４２とを有している。
【００３３】
また、記録材料４０において、上記感光層４２の表面には増感層４３が設けられている。なお、記録材料４０は、支持体の片側の面にのみ感光層４２が設けられた構成としてもよく、支持体４１の両側の面に設けられた感光層４２のうち、一方の感光層４２の表面にのみ増感層４３が設けられた構成としてもよい。
【００３４】
以下、図４に示す感光性熱現像記録材料の製造工程を説明する。図５は、図４の感光性熱現像記録材料の製造工程を概念的に説明する図である。
図５に示すように、支持体原反ロールＲ１１から支持体４１が巻き出される。巻き出された支持体４１の両側の面には感光材が塗布され、感光層４２が形成される。感光層４２の形成された支持体４１の搬送路を挟む上方と下方には増感材原反ロールＲ１３が配設される。増感材原反ロールＲ１３から巻き出された増感材（増感層４３）は、ガイドローラ２５によってガイドされながら吸着ローラ対２７によって支持体４１の両面に押し付けられ、搬送方向下流側に配設された一対の加熱圧着ローラ２９によってヒートシールされる。このようにして表裏両側に増感層４３が設けられた支持体４１は、加熱圧着ローラ２９の下流側で所定の寸法で裁断されて、記録材料４０となる。
【００３５】
この記録材料４０の製造方法では、感光材を塗布した直後の支持体４１に、一対の増感層４３を表裏両面からラミネートし、ラミネート後に支持体４１、感光層４２及び増感層４３を裁断する。
【００３６】
裁断されて得られる記録材料４０が収容体２１に収容される。収容体２１は、少なくとも外側が遮光材料からなり、その構成は図１で説明した収容体１と基本的に同じであるが、収容体本体に増感部材５を備えていない点で相違する。
【００３７】
図５に示す記録材料の製造工程で得られた記録材料を収容する収容体にＸ線撮影を行う工程を説明する。図６は、記録材料の収容体にＸ線撮影を行う工程を模式的に説明する図である。
収容体２１に収容された記録材料４０にＸ線Ｘを照射して、該記録材料４０の感光層に潜像を形成する。Ｘ線を照射した後、記録材料４０を収容した収容体２１を熱現像装置４８によって熱現像する。熱現像後、収容体２１から記録材料４０を取り出し、増感層４３を感光層４２（支持体４１）から剥離する。
【００３８】
図４に示す感光性熱現像記録材料４０では、感光層４２の表面に増感層４３が設けられる構成であり、同じ製造工程で、支持体４１に感光層４２を形成するとともにこの感光層４２の表面に増感層４３をラミネートすればよいため、製造が容易である。また、感光性熱現像記録材料４０は増感層４３を備えているため、従来のようにＸ線撮影装置に供されるカセッテ内部に増感部材として機能するスクリーンを装着する必要がない。
【００３９】
また、図５で示すように、１つの製造工程の中で、本発明に係る感光性熱現像記録材料の製造方法は、支持体４１に感光層４２を形成する工程と感光層４２の表面に増感層４３をラミネートする工程と、支持体４１を裁断する工程を有しているため、感光性熱現像記録材料を効率良く製造することができる。
【００４０】
図７は、本発明に係る感光性熱現像記録材料の収容体の第２の実施形態を示す斜視図である。
図７に示すように、収容体３１は、収容体本体３１ａと、該収容体本体３１ａの内部に設けられた、記録材料（例えば、図１の記録材料Ｆを用いることができる。）を収容するための収容部３２とを有している。収容体本体３１ａは、底を有する長尺の袋状部材であり、一方の端部に形成された開口３４から記録材料Ｆを挿入可能な構成である。収容体３１は、収容体本体１ａにおいて少なくとも表面が遮光性材料からなる部材である。遮光性材料としては、上記と同じものを使用することができる。
【００４１】
本実施形態の収容体３１の収容部本体３１ａには、収容部３２を２つの区間に仕切るように収容部３２の内部の周縁と一体に成形された仕切り部３５が設けられている。この仕切り部３５によって開口３４も上面側開口３６と下面側開口３７との２つに分割されている。
【００４２】
言い換えると、収容部３２において仕切り部３５によって区画された空間が一対のポケット部となり、これら一対のポケット部がそれぞれ分割された上面側開口３６と下面側開口３７を介して収容体３１の外部とそれぞれ連通している。
【００４３】
本実施形態の収容部３２は、一対のポケット部のうち一方で感光性熱現像記録材料（例えば、図１の記録材料Ｆを用いることができる。以下省略）を保持でき、他方で増感部材５を保持できるように構成されている。
【００４４】
仕切り部３５には、記録材料Ｆの型やこの記録材料にＸ線照射によって形成される潜像のサイズ並びに位置に応じた寸法の窓部３５ａが形成されている。
【００４５】
収容体３１の収容部３２の内部に区画されるポケット部の数は本実施形態のように２つに限定されず、仕切り部３５によって３つ以上に区画されてもよい。
【００４６】
図８は、図７に示す収容体に感光性熱現像記録材料と増感材料とを収容させた状態を示す断面図である。図７及び図８に示すように、収容体３１の収容部３２には記録材料Ｆと増感材料５とが仕切り部３５で仕切られた状態で保持されている。また、収容体３１は、仕切り部３５の中央部に窓部３５ａが形成され、この窓部３５ａによって開放された箇所においては、記録材料Ｆと増感材料５とが互いに露呈しあい、直接接触する構成である。このため、収容体３１にＸ線照射すると、記録材料Ｆにおいて窓部３５ａによって開放された箇所では増感部材５により感光層の反応が強められつつ潜像が形成されるようになる。
【００４７】
図９は、図７、８に示す感光性熱現像記録材料の収容体を使用してＸ線撮影及び熱現像の工程を模式的に説明する図である。収容体３１の一対のポケットの一方に記録材料Ｆを収容し、他方に増感部材５を収容する。記録材料Ｆ及び増感部材５を収容した収容体３１にＸ線Ｘを照射して記録材料Ｆの感光層に潜像を形成する。Ｘ線撮影の際には収容部３１をカセット（図３参照）に収容保持させた状態でＸ線を照射してもよい。次に、収容体３１を直接、熱現像装置に装填し、熱現像を行なう。熱現像後に、収容体３１から記録材料Ｆを取り出す。このとき、増感部材５を所定回数使用可能に構成すれば、そのままポケット部に収容させた状態で、新しい記録材料Ｆを収容することで、収容体３１を繰り返して使用すること（リサイクル）ができる。
【００４８】
次に、本発明に係る感光性熱現像記録材料の第３の実施形態を説明する。なお、以下に説明する実施形態において、すでに説明した部材などと同等な構成・作用を有する部材等については説明を簡略化或いは省略する。本実施形態の収容体の基本的な構成は図１に示す収容体の構成と同じであるが、遮光性材料として収容体本体が感光波長を遮断するための感光フィルタ機能を有する材料で構成されている点で相違する。感光フィルタ機能を有する材料としては、例えば、５００ｎｍ以下の波長を有する有色光を遮断する遮光性材料を使用することができる。
【００４９】
本実施形態において、５００ｎｍ以下の波長を有する有色光を遮断する遮光性材料を使用することで、収容体に収容した記録材料の状態を収容体外部から視認することができる。このため、収容体を直接熱現像装置に装填して熱現像を行う際に、収容体から記録材料を取り出すことなく現像の状態を確認することができるため使い勝手が良い。
【００５０】
次に、本発明の蛍光増感紙（放射線増感スクリーン）について説明する。放射線増感スクリーンは、基本構造として、支持体と、その片面に形成された蛍光体層とからなる。蛍光体層は、蛍光体が結合剤（バインダ）中に分散されてなる層である。なお、この蛍光体層の支持体とは反対側の表面（支持体に面していない側の表面）には一般に、透明な保護膜が設けられていて、蛍光体層を化学的な変質あるいは物理的な衝撃から保護している。
【００５１】
本発明において、好ましい蛍光体としては、以下に示すものが挙げられる。
タングステン酸塩系蛍光体（ＣａＷＯ4、ＭｇＷＯ4、ＣａＷＯ4：Ｐｂ等）、テルビウム賦活希土類酸硫化物系蛍光体〔Ｙ2Ｏ2Ｓ：Ｔｂ、Ｇｄ2Ｏ2Ｓ：Ｔｂ、Ｌａ2Ｏ2Ｓ：Ｔｂ、（Ｙ，Ｇｄ）2Ｏ2Ｓ：Ｔｂ、（Ｙ，Ｇｄ）Ｏ2Ｓ：Ｔｂ，Ｔｍ等〕、テルビウム賦活希土類燐酸塩系蛍光体（ＹＰＯ4：Ｔｂ、ＧｄＰＯ4：Ｔｂ、ＬａＰＯ4：Ｔｂ等）、テルビウム賦活希土類オキシハロゲン化物系蛍光体（ＬａＯＢｒ：Ｔｂ、ＬａＯＢｒ：Ｔｂ，Ｔｍ、ＬａＯＣｌ：Ｔｂ、ＬａＯＣｌ：Ｔｂ，Ｔｍ、ＬａＯＢｒ：Ｔｂ、ＧｄＯＢｒ：Ｔｂ、ＧｄＯＣｌ：Ｔｂ等）、ツリウム賦活希土類オキシハロゲン化物系蛍光体（ＬａＯＢｒ：Ｔｍ、ＬａＯＣｌ：Ｔｍ等）、硫酸バリウム系蛍光体〔ＢａＳＯ4：Ｐｂ、ＢａＳＯ4：Ｅｕ2+、（Ｂａ，Ｓｒ）ＳＯ4：Ｅｕ2+等〕、２価のユーロピウム賦活アルカリ土類金属燐酸塩系蛍光体〔（Ｂａ2ＰＯ4）2：Ｅｕ2+、（Ｂａ2ＰＯ4）2：Ｅｕ2+等〕、２価のユーロピウム賦活アルカリ土類金属弗化ハロゲン化物系蛍光体〔ＢａＦＣｌ：Ｅｕ2+、ＢａＦＢｒ：Ｅｕ2+、ＢａＦＣｌ：Ｅｕ2+，Ｔｂ、ＢａＦＢｒ：Ｅｕ2+，Ｔｂ、ＢａＦ2・ＢａＣｌ・ＫＣｌ：Ｅｕ2+、（Ｂａ，Ｍｇ）Ｆ2・ＢａＣｌ・ＫＣｌ：Ｅｕ2+等〕、沃化物系蛍光体（ＣｓＩ：Ｎａ、ＣｓＩ：Ｔｌ、ＮａＩ、ＫＩ：Ｔｌ等）、硫化物系蛍光体〔ＺｎＳ：Ａｇ（Ｚｎ，Ｃｄ）Ｓ：Ａｇ、（Ｚｎ，Ｃｄ）Ｓ：Ｃｕ、（Ｚｎ，Ｃｄ）Ｓ：Ｃｕ，Ａｌ等〕、燐酸ハフニウム系蛍光体（ＨｆＰ2Ｏ7：Ｃｕ等）、ＹＴａＯ4 及びそれに発光中心として各種付活剤を加えたもの。但し本発明に用いられる蛍光体はこれらに限定されるものではなく、放射線の照射によって可視又は近紫外領域の発光を示す蛍光体であれば使用できる。
【００５２】
本発明で用いる蛍光増感紙は、傾斜粒径構造で蛍光体を充填することが好ましい。特に表面保護層側に大粒径の蛍光体粒子を塗布し、支持体側に小粒径の蛍光体粒子を塗布することが好ましく、小粒径のものは０．５〜２．０μｍで、大粒径のものは１０〜３０μｍの範囲が好ましい。
【００５３】
また、本発明で用いる蛍光増感紙は、８０〜２５０℃の温度において現像されるため、支持体であるＰＥＴ（ポリエチレンテレフタレート）は耐熱グレードタイプであると共に、蛍光体を透明なシリコン樹脂でモールディングすることが好ましい。
【００５４】
（紫外蛍光スクリーンとの組合せ）
本発明の熱現像感光材料を用いた画像形成方法としては、好ましくは４００ｎｍ以下に主ピークを持つ蛍光体との組み合わせで画像形成する方法を用いることができる。さらに好ましくは３８０ｎｍ以下に主ピークを持つ蛍光体と組み合わせて画像形成する方法が良い。両面感材、片面感材のいずれでも組立て体として用いることができる。４００ｎｍ以下に主発光ピークであるスクリーンは特開平６−１１８０４号、ＷＯ９３／０１５２１号に記載のスクリーンなどが使われるがこれに限られるものではない。紫外線のクロスオーバーカット（両面感光材料）とアンチハレーション（片面感光材料）の技術としては、特開平８−７６３０７号公報に記載の技術を用いることができる。紫外線吸収染料としては、特願２０００−３２０８０９号に記載の染料は特に好ましい。
【００５５】
次に、本発明に係る感光性熱現像記録材料の収容体の第４の実施形態を説明する。
図１０は、本実施形態の感光性熱現像記録材料の収容体を示す斜視図である。図１１は、図１０に示す感光性熱現像記録材料の収容体のＡ−Ａ線断面図である。図１０及び図１１に示すように、本実施形態の収容体５１は、収容体本体５１ａと収容体本体５１の内部に設けられた収容部５２とを有している。収容体本体５１ａは、底を有する長尺の袋状部材であり、一方の端部に開口５４が形成され、この開口５４から記録材料Ｆ及び増感部材５を挿入可能な構成である。収容体５１は、収容体本体５１ａの少なくとも表面が上記遮光性材料からなる部材である。
【００５６】
本実施形態の収容体５１の収容体本体５１ａには、収容部５２を３つの空間に仕切るように収容部５２の内部の周縁と一体に成形された２つの仕切り部５５，５６が設けられている。収容部５２はこれら仕切り部５５，５６によって３つのポケット部５２ａ，５２ｂ，５２ｃに区画される。
【００５７】
また、これら仕切り部５５，５６のそれぞれには窓部５５ａ，５６ａが形成されている。これら窓部５５ａ，５６ａは、記録材料Ｆの型やこの記録材料ＦにＸ線照射によって形成される潜像のサイズ並びに位置に適応する寸法である。
【００５８】
３つのポケット部５２ａ，５２ｂ，５２ｃのうち、外側の２つのポケット部５２ａ及び５２ｃには、それぞれ増感部材５が収容され、内側のポケット部５２ｂには、記録材料Ｆが収容される。
【００５９】
本実施形態の収容体５１は、両面に感光層が形成された記録材料Ｆを収容し、該記録材料Ｆの両面側のポケット部５２ａ，５２ｃに収容された増感部材５によってこれら感光層でのＸ線照射による潜像が明瞭に形成されるようになる。
【００６０】
次に、本発明に係る感光性熱現像記録材料の他の実施形態を説明する。
図１２は、本実施形態の感光性熱現像記録材料の収容体を示す断面図である。図１２に示すように、感光性熱現像記録材料６０は、支持体６１と、支持体６１の両側の面に設けられた感光層６２と、これら感光層６２それぞれの表面に形成された増感層６３と有している。
【００６１】
さらに、感光性熱現像記録材料６０は、これら増感層６３それぞれの表面が遮光層６４で覆われている。
【００６２】
この感光性熱現像記録材料６０は、遮光層６４で覆われているため、遮光材料からなる収容体や従来のカセッテに収容しない状態でも明室で取り扱うことができるため、暗室での作業を必要としない点で使い勝手がよい。また、Ｘ線撮影時には、この感光性熱現像記録材料６０にＸ線照射を行なうことができ、熱現像時には、この記録材料６０をそのまま熱現像装置に装填することで、熱現像処理を施すことができ、熱現像後に、遮光層６４及び増感層６３とを剥離することで、現像した記録材料６０を得ることができる。
【００６３】
次に、図１２に示す感光性熱現像記録材料の製造工程を説明する。
図１３は、図１２の感光性熱現像記録材料の製造工程を概念的に説明する図である。図１３に示すように、支持体原反ロールＲ６１から支持体６１が巻き出される。巻き出された支持体６１の両側の面には感光材が塗布され、感光層６２が形成される。感光層６２の形成された支持体６１の搬送路を挟む上方と下方には増感材原反ロールＲ６３が配設される。増感材原反ロールＲ６３から巻き出された増感材（増感層６３）は、ガイドローラ６５によってガイドされながら吸着ローラ対６７によって支持体６１の両面に押し付けられ、搬送方向下流側に配設された一対の加熱圧着ローラ６９によってヒートシールされる。このようにして表裏両側に増感層６３が設けられた支持体６１の搬送路を挟む上方と下方には遮光材原反ロールＲ６４が配設される。増感材原反ロールＲ６４から巻き出された遮光材（遮光層６４）は、ガイドローラ７１によってガイドされながら吸着ローラ対７２によって支持体６１の両面に押し付けられ、搬送方向下流側に配設された一対の加熱圧着ローラ７３によってヒートシールされる。表裏両側に遮光層６４が設けられた支持体６１は、加熱圧着ローラ７３の下流側で所定の寸法で裁断されて、記録材料６０となる。
【００６４】
この記録材料Ｆの製造方法では、１つの製造工程の中で、支持体６１に感光層６２を形成する工程と感光層６２の表面に増感層６３をラミネートする工程と、増感層６３の表面に遮光層６４をラミネートする工程と、支持体６１を裁断する工程を有しているため、図１２に示す明室で取り扱うことができる感光性熱現像記録材料６０を効率良く製造することができる。
【００６５】
本発明の熱現像感光材料はいかなる方法で現像されても良いが、通常イメージワイズに露光した熱現像感光材料を昇温して現像される。好ましい現像温度としては８０〜２５０℃であり、さらに好ましくは１００〜１４０℃である。
現像時間としては１〜６０秒が好ましく、５〜３０秒がさらに好ましく、５〜２０秒が特に好ましい。
【００６６】
熱現像の方式としてはプレートヒーター方式が好ましい。プレートヒーター方式による熱現像方式とは特開平11-133572号に記載の方法が好ましく、潜像を形成した熱現像感光材料を熱現像部にて加熱手段に接触させることにより可視像を得る熱現像装置であって、前記加熱手段がプレートヒータからなり、かつ前記プレートヒータの一方の面に沿って複数個の押えローラが対向配設され、前記押えローラと前記プレートヒータとの間に前記熱現像感光材料を通過させて熱現像を行うことを特徴とする熱現像装置である。プレートヒータを２〜６段に分けて先端部については１〜１０℃程度温度を下げることが好ましい。
【００６７】
このような方法は特開昭54-30032号にも記載されており、熱現像感光材料に含有している水分や有機溶媒を系外に除外させることができ、また、急激に熱現像感光材料が加熱されることでの熱現像感光材料の支持体形状の変化を押さえることもできる。
【図面の簡単な説明】
【００６８】
【図１】本発明に係る感光性熱現像記録材料の収容体の第１の実施形態を説明する図である。
【図２】第１の実施形態の収容体の他の実施形態を示す断面図である。
【図３】本発明に係るカセッテを示す全体斜視図である。
【図４】本発明に係る感光性熱現像記録材料の断面図である
【図５】図５は、図４の感光性熱現像記録材料の製造工程を概念的に説明する図である。
【図６】記録材料の収容体にＸ線撮影を行う工程を模式的に説明する図である。
【図７】本発明に係る感光性熱現像記録材料の収容体の第２の実施形態を示す斜視図である。
【図８】図７に示す収容体に感光性熱現像記録材料と増感材料とを収容させた状態を示す断面図である。
【図９】図７、８に示す感光性熱現像記録材料の収容体を使用してＸ線撮影及び熱現像の工程を模式的に説明する図である。
【図１０】本発明に係る感光性熱現像記録材料の収容体の第４の実施形態を示す図である。
【図１１】図１０に示す感光性熱現像記録材料の収容体のＡ−Ａ線断面図である。
【図１２】本発明に係る感光性熱現像記録材料の他の実施形態を示す断面図である。
【図１３】図１２に示す感光性熱現像記録材料の製造工程を概念的に説明する図である。
【符号の説明】
【００６９】
１，２１，３１，５１    （感光性熱現像記録材料の）収容体
２    収容部
５    増感部材
１１  カセッテ
４０，６０    感光性熱現像記録材料
【図１】
2005284263.tif 000003
【図２】
2005284263.tif 000004
【図３】
2005284263.tif 000005
【図４】
2005284263.tif 000006
【図５】
2005284263.tif 000007
【図６】
2005284263.tif 000008
【図７】
2005284263.tif 000009
【図８】
2005284263.tif 000010
【図９】
2005284263.tif 000011
【図１０】
2005284263.tif 000012
【図１１】
2005284263.tif 000013
【図１２】
2005284263.tif 000014
【図１３】
2005284263.tif 000015